(57)【要約】【課題】不特定多数の人が閲覧するＷｅｂカメラシステム（映像処理システム）において閲覧者同士の関係に応じて動的に映像処理の方法を決定すること。【解決手段】ログインしている閲覧者が変わる毎に、個別映像加工方法決定部１０２が、閲覧者情報ＤＢ１２１に記憶される前記閲覧者の情報に基づいて前記閲覧者同士の関係を判断し、前記閲覧者毎の映像加工方法を決定し、映像加工実行部１０５が、カメラ映像取得部１０３により取得される被写体映像を前記決定された前記閲覧者毎の映像加工方法で前記閲覧者毎にそれぞれ加工して、映像出力部１０６が、ログインしている閲覧者毎にそれぞれ出力する構成を特徴とする。【選択図】図２
2008160572.tif 000002
【特許請求の範囲】
【請求項１】
被写体映像を取得する映像取得手段と、ログインしている複数の閲覧者の装置に被写体映像をそれぞれ出力する出力制御手段とを有する映像処理システムにおいて、
閲覧者の情報を記憶する記憶手段と、
ログインしている閲覧者が変わる毎に、前記記憶手段に記憶される前記閲覧者の情報に基づいて前記閲覧者同士の関係を判断し、前記閲覧者毎の映像加工方法を決定する決定手段とを有することを特徴とする映像処理システム。
【請求項２】
前記映像取得手段より取得される被写体映像を前記決定手段により決定された前記閲覧者毎の映像加工方法で前記閲覧者毎にそれぞれ加工する映像加工手段を有し、
前記出力制御手段は、前記加工手段に加工された被写体映像を前記閲覧者毎にそれぞれ出力する、ことを特徴とする請求項１に記載の映像処理システム。
【請求項３】
前記閲覧者の情報は、閲覧者ランクを含むものであり、
前記決定手段は、ログインしている最も閲覧ランクの高い閲覧者でないと判断された閲覧者の映像加工方法を、認識不可能な映像に加工する加工方法に決定する、ことを特徴とする請求項１又は２に記載の映像処理システム。
【請求項４】
前記決定手段は、ログインしている最も閲覧ランクの高い閲覧者と判断された閲覧者の映像加工方法を、加工しないことを示す加工方法に決定する、ことを特徴とする請求項３に記載の映像処理システム。
【請求項５】
前記映像取得手段により映像取得されている被写体の情報を取得する被写体情報取得手段を設け、
前記閲覧者の情報は、被写体を独占的に閲覧可能なことを示す被写体毎の独占権情報を含むものであり、
前記決定手段は、ログインしている最も閲覧ランクの高い閲覧者であっても、前記映像取得手段により映像取得されている被写体に対する独占権を持たず、前記独占権を持つ他の閲覧者がログインしていると判断された閲覧者に対する映像加工方法を、認識不可能な映像に加工する加工方法に決定する、ことを特徴とする請求項３に記載の映像処理システム。
【請求項６】
前記決定手段は、ログインしている最も閲覧ランクの高い閲覧者であって、且つ、前記映像取得手段により映像取得されている被写体に対する独占権を有する閲覧者の映像加工方法を、加工しないことを示す加工方法に決定する、ことを特徴とする請求項５に記載の映像処理システム。
【請求項７】
前記映像取得手段は、同時に複数の被写体映像を取得可能であり、
前記決定手段は、前記ログインしている閲覧者毎に、前記映像取得手段により映像取得されている被写体映像毎の映像加工方法を決定するものであり、
前記映像加工手段は、前記映像取得手段より取得される複数の被写体映像を前記決定手段により前記閲覧者毎に決定された被写体映像毎の映像加工方法で前記閲覧者毎に被写体毎の被写体映像をそれぞれ加工する、ことを特徴とする請求項１乃至６のいずれかに記載の映像処理システム。
【請求項８】
被写体を識別する情報及び被写体の位置情報を発信する発信手段と、
被写体情報取得手段は、前記発信手段から発信される被写体を識別する情報及び被写体の位置情報を取得するものであり、
前記映像加工手段は、前記映像取得手段より取得された位置情報を元に、映像中で画像加工を行う領域を決定することを特徴とする請求項７に記載の映像処理システム。
【請求項９】
被写体映像を取得する映像取得手段と、ログインしている複数の閲覧者の装置に被写体映像をそれぞれ出力する出力制御手段とを有する映像処理システムにおいて、
閲覧者の情報を記憶する記憶手段と、
ログインしている閲覧者が変わる毎に、前記記憶手段に記憶される前記閲覧者の情報に基づいて前記閲覧者同士の関係を判断し、前記閲覧者毎に被写体映像の出力の可否を決定する決定手段と、
を有することを特徴とする映像処理システム。
【請求項１０】
前記閲覧者の情報は、閲覧者ランクを含むものであり、
前記決定手段は、ログインしている最も閲覧ランクの高い閲覧者でないと判断された閲覧者には被写体映像の出力を禁止決定する、ことを特徴とする請求項９に記載の映像処理装置。
【請求項１１】
前記映像取得手段により映像取得されている被写体の情報を取得する被写体情報取得手段を設け、
前記閲覧者の情報は、被写体を独占的に閲覧可能なことを示す被写体毎の独占権情報を含むものであり、
前記決定手段は、ログインしている最も閲覧ランクの高い閲覧者であっても、前記映像取得手段により映像取得されている被写体に対する独占権を持たず、前記独占権を持つ他の閲覧者がログインしていると判断された閲覧者には被写体映像を出力を禁止決定する、ことを特徴とする請求項８に記載の映像処理システム。
【請求項１２】
前記決定手段は、ログインしている最も閲覧ランクの高い閲覧者であって、且つ、前記映像取得手段により映像取得されている被写体に対する独占権を有する閲覧者には被写体映像の出力を許可決定する、ことを特徴とする請求項１１に記載の映像処理システム。
【請求項１３】
前記映像取得手段は、同時に複数の被写体映像を取得可能であり、
前記決定手段は、前記ログインしている閲覧者毎に、前記映像取得手段により映像取得されている被写体映像毎の映像出力の可否を決定する、ことを特徴とする請求項９乃至１２のいずれかに記載の映像処理システム。
【請求項１４】
被写体映像を取得する映像取得ステップと、
ログインしている閲覧者が変わる毎に、予め記憶手段に記憶される前記閲覧者の情報に基づいて閲覧者同士の関係を判断し、前記閲覧者毎の映像加工方法を決定する決定ステップと、
前記映像取得ステップで取得される被写体映像を前記決定ステップで決定された前記閲覧者毎の映像加工方法で前記閲覧者毎にそれぞれ加工する映像加工ステップと、
前記加工ステップで加工された被写体映像をログインしている前記閲覧者毎にそれぞれ出力する出力ステップと、
を有することを特徴とする映像処理方法。
【請求項１５】
被写体映像を取得する映像取得ステップと、
ログインしている複数の閲覧者の装置に被写体映像をそれぞれ出力する出力ステップと、
ログインしている閲覧者が変わる毎に、予め記憶手段に記憶される前記閲覧者の情報に基づいて前記閲覧者同士の関係を判断し、前記閲覧者毎に被写体映像の出力の可否を決定する決定ステップと、
を有することを特徴とする映像処理方法。
【請求項１６】
請求項１乃至１３に記載された映像処理システムとしてコンピュータを機能させるための、又は、請求項１４又は１５に記載された映像処理方法をコンピュータに実行させるためのプログラム。
【請求項１７】
請求項１乃至１３に記載された映像処理システムとしてコンピュータを機能させるためのプログラム、又は、請求項１４又は１５に記載された映像処理方法をコンピュータに実行させるためのプログラムをコンピュータが読み取り可能に記憶した記録媒体。
【発明の詳細な説明】
【技術分野】
【０００１】
本発明は、被写体映像を取得する映像取得手段と、ログインしている複数の閲覧者の装置に被写体映像をそれぞれ出力する出力制御手段とを有する映像処理システムの映像処理制御に関する。
【背景技術】
【０００２】
昨今、過疎化がすすんでいる地方では、医師の不足が深刻な問題になりつつある。また、医師が不適切に治療をしたことが原因で、患者が病状を悪化させる医療ミスのケースも後をたたない。さらに、国際的な医療格差を是正するため、医療先進国で行われた高度な医療の様子を医療後進国の医師に見せることにより、医療後進国の医療技術を発展させたいという要求もある。
【０００３】
従って、遠隔地にいる閲覧者（医師や家族）に、同じ映像情報を配信することは意義があるといえる。
【０００４】
しかし、その一方で、個人情報保護といったプライバシーを守る権利も重要視されてきている風潮もあるので、不必要な映像は配信せずにモザイクをかける等の処理が必要な場合もある。
【０００５】
このように、複雑な状況が絡み合う現代では、それらを同時に実現するシステムが求められてきている。
【０００６】
特許文献１には、被写体に応じて適切な映像処理を選択して実行することで被写体のプライバシー保護を可能にする技術が提案されている。
【０００７】
また、特許文献２には、ユーザごとに異なる領域のマスキングをかけた画像を提供する技術が提案されている。
【特許文献１】特開２００５-２７７６８０号公報
【特許文献２】特開２００３-４６７４５号公報
【発明の開示】
【発明が解決しようとする課題】
【０００８】
しかしながら、これらの従来の技術では閲覧者の種別または被写体によって、映像処理方法が固定されてしまうため、以下のような問題が発生していた。
【０００９】
例えば、遠隔地医療を考えた場合、医師が患者の状態を確認する際には、治療目的の場合もあれば、患者の状態を確認したいだけの場合もある。医師が治療を行っている間は、プライバシー保護の観点から他の閲覧者に対しては患者の映像を隠すことが望ましいと思われる。これを従来技術で実現しようとすると、医師が治療を行っている間だけ他の閲覧者に対して患者の映像を隠すといった要求を満たすことができないといった問題点があった。
【００１０】
本発明は、上記の問題点を解決するためになされたもので、本発明の目的は、不特定多数の人が閲覧する映像処理システムにおいて、閲覧者同士の関係に応じて動的に映像処理の方法を決定できる仕組を提供することである。
【課題を解決するための手段】
【００１１】
本発明は、被写体映像を取得する映像取得手段と、ログインしている複数の閲覧者の装置に被写体映像をそれぞれ出力する出力制御手段とを有する映像処理システムにおいて、閲覧者の情報を記憶する記憶手段と、ログインしている閲覧者が変わる毎に、前記記憶手段に記憶される前記閲覧者の情報に基づいて前記閲覧者同士の関係を判断し、前記閲覧者毎の映像加工方法を決定する決定手段とを有することを特徴とする。
【発明の効果】
【００１２】
本発明によれば、不特定多数の人が閲覧する映像処理システムにおいて、閲覧者の種別または被写体の関係に応じて動的に映像処理の方法を決定できる。
【００１３】
従って、医師が治療を行っている間だけ他の閲覧者に対して患者の映像を隠すといった要求を満たすことができるといったような、閲覧者同士の関係に応じて適切な映像処理を選択し実行することによって、被写体の個人情報保護や柔軟な映像処理を可能にすることができる等の効果を奏する。
【発明を実施するための最良の形態】
【００１４】
以下、図１〜図１３を参照して、本発明の実施形態について説明する。
【００１５】
図１は、本発明の一実施形態を示す映像処理システムの一例を示すシステム構成図である。
【００１６】
図１に示すように、本発明の映像処理システムは、映像処理装置１００、複数の端末装置２００（端末装置(Ａ)２００ａ、端末装置(Ｂ)２００ｂ、端末装置(Ｃ)２００ｃ、・・・）、Ｗｅｂカメラ３００、被写体属性受信部４００、複数の被写体属性送信装置４０１（被写体属性送信装置(Ａ)４０１ａ、被写体属性送信装置(Ｂ)４０１ｂ、被写体属性送信装置(Ｃ)４０１ｃ、・・・）および通信ネットワーク６００等から構成されている。
【００１７】
なお、通信ネットワーク６００は、専用回線やインターネット、ＬＡＮの他、ＷＡＮ、電灯線ネットワーク、無線ネットワーク、公衆回線網、携帯電話網など様様なネットワークを採用することもできる。
【００１８】
映像処理装置１００は、通信ネットワーク６００に接続しており、Ｗｅｂカメラ３００により得た被写体映像を被写体属性受信部４００により判断した情報を元に映像加工をするものである。
【００１９】
また、映像処理装置１００は、コンピュータにより構成され、通信インターフェース１４１と、ＣＰＵ１４２と、ＲＡＭ１４３と、ＲＯＭ１４４と、外部メモリ（ここではハードディスク（ＨＤ））１４５と、入力装置１４６と、出力装置１４７とを有する。
【００２０】
通信インターフェース１４１は、通信ネットワーク６００とＣＰＵ１４２、ＲＡＭ１４３、ＲＯＭ１４４、ＤＢ１４５、入力装置１４６、出力装置１４７に接続しており、ＣＰＵ１４２、ＲＡＭ１４３、ＲＯＭ１４４、ＤＢ１４５、入力装置１４６、出力装置１４７で処理された内容を、通信ネットワーク６００に送信し、また、通信ネットワーク６００から送信された内容を受信するものである。
【００２１】
端末装置（Ａ）２００ａ、端末装置(Ｂ)２００ｂ、端末装置(Ｃ)２００ｃは通信ネットワーク６００に接続しており、映像処理装置１００により加工された映像を、通信ネットワーク６００により受信して表示するものである。
【００２２】
Ｗｅｂカメラ３００は通信ネットワーク６００に接続しており、被写体映像を取得し、通信ネットワーク６００に送信するものである。
【００２３】
被写体属性受信部４００は通信ネットワーク６００に接続しており、Ｗｅｂカメラ３００により得た被写体映像属性を判断し、通信ネットワーク６００に送信するものである。
【００２４】
被写体属性送信装置(Ａ)４０１ａ、被写体属性送信装置(Ｂ)４０１ｂ、被写体属性送信装置(Ｃ)４０１ｃは被写体属性受信部４００に接続しており、被写体の属性情報を送信するものである。なお、被写体属性送信装置(Ａ)４０１ａ、被写体属性送信装置(Ｂ)４０１ｂ、被写体属性送信装置(Ｃ)４０１ｃは、携帯可能の形状でリストバンド形式のものでもよい。
【００２５】
通信ネットワーク６００は端末装置(Ａ)２００ａ、端末装置(Ｂ)２００ｂ、端末装置(Ｃ)２００ｃ 、Ｗｅｂカメラ３００、被写体属性受信部４００、映像処理装置１００に接続しており、端末装置(Ａ)２００ａ、端末装置(Ｂ)２００ｂ、端末装置(Ｃ)２００ｃには加工された映像を送信し、Ｗｅｂカメラ３００からは被写体映像を取得し、被写体属性受信部４００にはＷｅｂカメラ３００から得られた映像を送信し、また、被写体属性を取得し、映像処理装置１００に情報を送信するものである。
【００２６】
図２は、図１に示した映像処理装置１００のソフトウェア構成の一例を示すブロック図であり、図１と同一のものには同一の符号を付してある。
【００２７】
図２に示すように、映像処理装置１００は、閲覧者端末２００、Ｗｅｂカメラ３００、被写体属性受信部４００に接続しており、閲覧者情報取得部１０１、個別映像加工方法決定部１０２、カメラ映像取得部１０３、被写体属性取得部１０４、映像加工実行部１０５、映像出力部１０６、閲覧者情報ＤＢ１２１、被写体属性情報ＤＢ１２２等から構成される。
【００２８】
閲覧者情報取得部１０１は、閲覧者端末２００、閲覧者情報ＤＢ１２１、個別映像加工方法決定部１０２に接続しており、ログイン状況と閲覧者情報ＤＢ１２１より閲覧者情報を取得し、個別映像加工方法決定部１０２に送信するものである。
【００２９】
個別映像加工方法決定部１０２は閲覧者情報取得部１０１、閲覧者情報ＤＢ１２１、被写体属性情報ＤＢ１２２、映像加工実行部１０５に接続しており、閲覧者情報取得部１０１と閲覧者情報ＤＢ１２１と被写体属性情報ＤＢ１２２によりカメラ映像取得部１０３で得た映像に加工する方法を決定し、その情報を映像加工実行部１０５に送信するものである。
【００３０】
カメラ映像取得部１０３は、Ｗｅｂカメラ３００と映像加工実行部１０５に接続しており、Ｗｅｂカメラ３００から取得した映像を映像加工実行部１０５に送信するものである。
【００３１】
被写体属性取得部１０４は、被写体属性受信部４００と被写体属性情報ＤＢ１２２に接続しており、被写体属性受信部４００から得た情報を被写体属性情報１２２に常に送信し続けるものである。なお、被写体属性取得部１０４は、被写体属性受信部４００から発信された位置情報信号の強度などを元に、該当被写体が画面内に占める位置を計算し、その画面内におけるＸ座標、Ｙ座標を被写体属性情報ＤＢ１２２に送信するものとする。このような座標の変換は、公知の技術により可能である。
【００３２】
映像加工実行部１０５は、個別映像加工方法決定部１０２とカメラ映像取得部１０３と映像出力部１０６に接続しており、個別映像加工方法決定部１０２で決定された情報を映像加工方法記憶メモリ１０５ａに保持し、該映像加工方法記憶メモリ１０５ａに保持される加工方法に基づいてカメラ映像取得部１０３からの映像の加工を実行するものである。なお、映像加工方法記憶メモリ１０５ａの構成は図５に示す。
【００３３】
映像出力部１０６は、映像加工実行部１０５と閲覧者端末２００に接続しており、映像加工実行部１０５で加工された映像を閲覧者端末２００に出力するものである。
【００３４】
閲覧者情報ＤＢ１２１は、閲覧者情報取得部１０１と個別映像加工方法決定部１０２に接続されており、閲覧者情報取得部１０１で得られた情報を記憶するものである。なお、閲覧者情報ＤＢ１２１の構成は図３に示す。
【００３５】
被写体属性情報ＤＢ１２２は、被写体属性取得部１０４と個別映像加工方法決定部１０２に接続されており、被写体属性取得部１０４より得た情報を元に被写体属性情報を記憶するものである。なお、被写体属性情報ＤＢ１２２の情報は、被写体属性取得部１０４の送信情報を元に、常に更新し続けるものとする。なお、被写体属性情報ＤＢ１２２の構成は図４に示す。
【００３６】
閲覧者端末２００は、映像出力部１０６と閲覧者情報取得部１０１に接続されており、ログインすることにより閲覧者情報取得部１０１に情報を送り、映像出力部１０６より加工された映像を取得して表示するものである。
【００３７】
Ｗｅｂカメラ３００は、カメラ映像取得部１０３に接続しており、被写体映像を取得し、カメラ映像取得部１０３に送信するものである。
【００３８】
被写体属性受信部４００は、被写体属性取得部１０４と、被写体属性送信装置４０１に接続しており、被写体ＩＤと位置情報信号を被写体属性取得部１０４に常に受信し続けるものである。
【００３９】
被写体属性送信装置４０１は、被写体属性受信部４００に接続しており、被写体のＩＤと位置情報信号を被写体属性取得部１０４に常に送信し続けるものである。
【００４０】
なお、上記１０１〜１０６に示す各機能部は、図１に示した映像処理装置１００のＣＰＵ１４２がＨＤ１４５に格納されるプログラムをＲＡＭ１４３上にロードして実行することにより実現される。
【００４１】
また、閲覧者情報ＤＢ１２１，被写体属性情報ＤＢ１２２は、図１に示した映像処理装置１００のＨＤ１４５上に構築される。
【００４２】
また、映像加工方法記憶メモリ１０５ａは、図１に示した映像処理装置１００のＲＡＭ１４３上に確保される。
【００４３】
以下、本発明の実施形態の一例として、離島など医師が十分に存在しない遠隔地において、複数の患者が医師の診察を必要としている状況や、また医療技術の発展の目的で複数の医師に治療中の映像を開示しようとしている状況に、本発明を適用した場合について示す。
【００４４】
〔実施形態における登場人物の説明〕
この本実施形態では、被写体の例として、複数の患者（患者ＩＤ20000、患者ＩＤ30000）を用いるものとする。
【００４５】
患者は、手首にリストバンド形式の被写体属性送信装置４０１を保持しており、“位置情報”や“被写体ＩＤ”などの被写体属性情報（後述する図４）を、映像処理装置１００内の「被写体属性情報ＤＢ１２２」に動的に送信できる。
【００４６】
また本実施形態では、閲覧者の例として、患者の家族ＩＤ100001と、医師ＩＤ000001、医師ＩＤ000002を用いるものとする。
【００４７】
なお、管理者は、閲覧者の情報を、事前に閲覧者ＩＤとともに閲覧者情報（後述する図３）に登録しておくものとする。また、被写体の情報を、事前に被写体ＩＤとともに「被写体属性情報（後述する図４）」を登録しておくものとする。
【００４８】
以下、図３〜図５を参照して、図２に示した閲覧者情報ＤＢ１２１，被写体属性情報ＤＢ１２２，映像加工方法記憶メモリ１０５ａの構成について説明する。
【００４９】
図３は、図２に示した閲覧者情報ＤＢ１２１の構成を説明するデータ構成図である。
【００５０】
図３に示すように、閲覧者情報ＤＢ１２１には、閲覧者ＩＤ、パスワード、閲覧者ランク、独占権、ログインフラグが保存されている。
【００５１】
閲覧者ランクとは、閲覧者の映像閲覧の優先順位を示すものであり、個別映像加工方法決定処理(後述する図７のＳ２４)において利用するものであり、閲覧者同士のそれに基づき、映像加工方法を変化させるものである。なお、この閲覧者ランクは、数値の低いほうが高いランクを示すものとする。
【００５２】
独占権は、０個以上の被写体ＩＤが保存されており、この被写体ＩＤに対応する被写体を独占的に閲覧可能なことを示すものである。個別映像加工方法決定処理(図７のＳ２４)においては、この独占権に基づき、映像加工方法を変化させる。
【００５３】
ログインフラグには、対象の閲覧者が現在ログインしていれば「１」、していなければ「０」という情報が保持されているものである。なお、ログインフラグは閲覧者がログインまたはログアウトするたびに、閲覧者情報取得部１０１により動的に更新されるものとする。
【００５４】
図４は、図２に示した被写体属性情報ＤＢ１２２の構成を説明するデータ構成図である。
【００５５】
図４に示すように、被写体属性情報ＤＢ１２２には、被写体ＩＤ、Ｘ座標、Ｙ座標、処理フラグが保存されている。なお、被写体属性情報ＤＢ１２２の情報は、被写体属性取得部１０４により、常に更新し続けられているものとする。
【００５６】
Ｘ座標、Ｙ座標には、対象の被写体が現在画面内に写っている中心の座標が保持されている。この座標は、被写体属性受信部４００で受信された被写体の位置情報を元に、公知の技術で計算され求められた値であり、映像中で画像加工を行う領域を決定する際に使用するものである。
【００５７】
図５は、図２に示した映像加工方法記憶メモリ１０５ａの構成を説明するデータ構成図である。
【００５８】
図５に示すように、映像加工方法記憶メモリ１０５ａには、閲覧者ＩＤ、被写体の数分の個別映像加工方法が保存されている。この個別映像加工方法には、被写体ＩＤと加工方法が保存されており、個別映像加工方法決定処理(後述する図７のＳ２３)において決定されるのである。
【００５９】
以下、図６〜図８のフローチャートを参照して、映像処理装置１００で実行される制御処理動作について説明する。
【００６０】
図６は、本発明における第１の制御処理手順の一例を示すフローチャートであり、映像処理装置１００で実行される制御処理動作に対応する。なお、このフローチャートの処理は、図２に示した各機能部により実行される。即ち、図１に示した映像処理装置１００のＣＰＵ１４２がＨＤ１４５に格納されるプログラムをＲＡＭ１４３上にロードして実行することにより実現される。なお、図中、Ｓ１１〜Ｓ１７は各ステップを示す。
【００６１】
まず、映像処理装置１００のＣＰＵ１４２は、スタートボタンが押下されると（本制御処理の開始指示がなされると）、本フローチャートの処理を開始する。
【００６２】
まず、ステップＳ１１において、ＣＰＵ１４２は、終了ボタンが押下されたか（本制御処理の終了指示がなされたか）どうか判定し、終了ボタンが押下されていない（本制御処理の終了指示がなされていない）と判定した場合には、ＣＰＵ１４２は、ステップＳ１２に処理を進める。
【００６３】
ステップＳ１２では、ＣＰＵ１４２は、閲覧者情報ＤＢ１２１（図３）から情報を取得し、ログイン閲覧者に変化があったかどうかを判定する。
【００６４】
そして、ステップＳ１２で、ログイン閲覧者に変化があったと判定した場合には、ステップＳ１３において、ＣＰＵ１４２は、映像加工方法更新処理を実行し、ステップＳ１４に処理を進める。なお、この映像加工方法更新処理の詳細は後述する図７に示す。
【００６５】
一方、ステップＳ１２で、ログイン閲覧者に変化がなかったと判定した場合には、ＣＰＵ１４２は、そのままステップＳ１４に処理を進める。
【００６６】
ステップＳ１４では、ＣＰＵ１４２は、被写体属性情報ＤＢ１２２から被写体属性情報（図４）を取得する。
【００６７】
次に、ステップＳ１５において、ＣＰＵ１４２は、未表示閲覧者がいるかどうか判定し、未表示閲覧者がいると判定した場合には、ステップＳ１６に処理を進める。
【００６８】
ステップＳ１６では、映像加工実行部１０５が、個別映像加工方法記憶メモリ１５０ａに記憶される個別映像加工方法（「加工なし」，「映像加工１」，「映像加工２」）に基づいて映像加工実行処理を実行し、ステップＳ１７において、映像は映像出力部１０６が、映像加工実行部１０５にて加工された映像を対応する閲覧者端末２００に出力する。これを受信した閲覧者端末２００は、該加工された映像を表示装置に表示制御する。
【００６９】
ステップＳ１７の処理が終了すると、ＣＰＵ１４２は、ステップＳ１５に処理を戻し、次の未表示閲覧者に対する処理に移行する。
【００７０】
そして、ステップＳ１５において、ＣＰＵ１４２が、未表示閲覧者がいないと判定した場合には、ステップＳ１１に処理を戻す。
【００７１】
そしてステップＳ１１において、ＣＰＵ１４２は、終了ボタンが押下された（本制御処理の終了指示がなされた）と判定した場合には、本フローチャートの処理を終了する。
【００７２】
以下、図７を参照して、図６のステップＳ１３に示した映像加工方法更新処理について説明する。
【００７３】
図７は、本発明における第２の制御処理手順の一例を示すフローチャートであり、図６のステップＳ１３に示した映像加工方法更新処理に対応する。なお、このフローチャートの処理は、図２に示した各機能部により実行される。即ち、図１に示した映像処理装置１００のＣＰＵ１４２がＨＤ１４５に格納されるプログラムをＲＡＭ１４３上にロードして実行することにより実現される。なお、図中、Ｓ２０〜Ｓ２５は各ステップを示す。
【００７４】
まず、ステップＳ２０において、ＣＰＵ１４２は、映像加工方法記憶メモリ１０５ａをクリア（全閲覧者の個別映像加工方法をクリア）し、ステップＳ２１に処理を進める。
【００７５】
ステップＳ２１では、ＣＰＵ１４２は、未処理閲覧者がいるか否かを判定する。この判定では、ログインしている閲覧者であって、映像加工方法記憶メモリ１０５ａ内の個別映像加工方法が設定されていない者を、未処理閲覧者と判定する。
【００７６】
そしてステップＳ２１で、未処理閲覧者がいると判定した場合には、ＣＰＵ１４２は、いずれかの未処理閲覧者を対象閲覧者に設定して、ステップＳ２２に処理を進め、被写体属性情報ＤＢ１２２（図４）に格納されている被写体の処理フラグ情報をすべて「０」に設定する。
【００７７】
次に、ステップＳ２３において、ＣＰＵ１４２は、未処理被写体（処理フラグが「０」の被写体）がいるか否かを判定し、未処理被写体（処理フラグが「０」の被写体）がいると判断した場合には、いずれかの未処理被写体を対象被写体に設定して、ステップＳ２４に処理を進める。
【００７８】
ステップＳ２４では、ＣＰＵ１４２は、前記対象被写体に対して、個別映像加工方法決定部１０２による個別映像加工方法決定処理を実行し、ステップＳ２５に処理を進める。なお、この個別映像加工方法決定処理の詳細は後述する図８に示す。
【００７９】
次に、ステップＳ２５において、ＣＰＵ１４２、被写体属性情報ＤＢ１２２（図４）に格納されている当該対象被写体の処理フラグ情報を「１」に設定し、ステップＳ２３に処理を戻し、次の未処理被写体に対する処理に移行する。
【００８０】
そしてステップＳ２３において、ＣＰＵ１４２が、未処理被写体（処理フラグが「０」の被写体）がいないと判定した場合には、ステップＳ２１に処理を進め、次の未処理閲覧者に対する処理に移行する。
【００８１】
そしてステップＳ２１において、ＣＰＵ１４２が、未処理閲覧者がいないと判定した場合には、本フローチャートの処理を終了する。なお、「映像加工１」と「映像加工２」は、いずれも、被写体映像を認識不可能な映像に加工する加工方法であり、同一の映像加工であってもよい。
【００８２】
以下、図８〜図１２を参照して、図７のステップＳ２４に示した個別映像加工方法決定処理について説明する。なお、この個別映像加工方法決定処理は、ある一人の閲覧者の、ある一つの被写体に対する映像加工方法を決定するためのものである。
【００８３】
図８は、本発明における第３の制御処理手順の一例を示すフローチャートであり、図７のステップＳ２４に示した個別映像加工方法決定処理に対応する。なお、このフローチャートの処理は、図２に示した各機能部により実行される。即ち、図１に示した映像処理装置１００のＣＰＵ１４２がＨＤ１４５に格納されるプログラムをＲＡＭ１４３上にロードして実行することにより実現される。なお、図中、Ｓ１４０〜Ｓ１４９は各ステップを示す。
【００８４】
また、図９〜図１２は、対象閲覧者の閲覧者端末２００に表示される対象被写体の映像を説明するための模式図である。
【００８５】
まず、図８のステップＳ１４０において、個別映像加工方法決定部１０２は、対象閲覧者以外の閲覧者がいるかどうか判定し、対象閲覧者以外の閲覧者がいないと判定した場合には、ステップＳ１４９に処理を進める。
【００８６】
ステップＳ１４９では、個別映像加工方法決定部１０２は、対象閲覧者の対象被写体に対する個別映像加工方法を「加工無し」に決定し、個別映像加工方法記憶メモリ１０５ａに記憶させ、本フローチャートの処理を終了する。この場合、対象閲覧者の閲覧者端末２００には、後述する図９の９０１，９０２に示すような、加工されていない対象被写体の映像が表示されることになる。
【００８７】
一方、ステップＳ１４０において、個別映像加工方法決定部１０２が、対象閲覧者以外の閲覧者がいると判断した場合には、ステップＳ１４１に処理を進める。
【００８８】
ステップＳ１４１では、個別映像加工方法決定部１０２は、閲覧者情報ＤＢ１２１（図４）に格納されている対象閲覧者の閲覧者ランクを取得する。
【００８９】
次に、ステップＳ１４２において、個別映像加工方法決定部１０２は、閲覧者情報ＤＢ１２１（図３）に格納されている他の閲覧者の閲覧者ランクを全て取得する。
【００９０】
次に、ステップＳ１４３において、個別映像加工方法決定部１０２は、対象閲覧者の閲覧者ランクを超える他の閲覧者がいるか否かを判定し、対象閲覧者の閲覧者ランクを超える他の閲覧者がいると判定した場合には、ステップＳ１４７に処理を進める。
【００９１】
ステップＳ１４７では、個別映像加工方法決定部１０２は、対象閲覧者の対象被写体に対する個別映像加工方法を「映像加工１」に決定し、個別映像加工方法記憶メモリ１０５ａに記憶させる。そして、本フローチャートの処理を終了する。この場合、対象閲覧者の閲覧者端末２００には、後述する図１０の１００１，１００２に示すような、加工された対象被写体の映像が表示されることになる。
【００９２】
一方、ステップＳ１４３において、個別映像加工方法決定部１０２が、対象閲覧者の閲覧者ランクを超える他の閲覧者がいないと判定した場合には、ステップＳ１４４に処理を進める。
【００９３】
ステップＳ１４４では、個別映像加工方法決定部１０２は、閲覧者情報ＤＢ１２１（図３）と被写体属性情報ＤＢ１２２（図４）から対象被写体の独占権を持つ閲覧者を検索して取得する。
【００９４】
次に、ステップＳ１４５において、個別映像加工方法決定部１０２は、対象被写体の独占権を持つ閲覧者がログインしているか否かを判定し、ログインしていないと判定した場合には、ステップＳ１４９において、対象閲覧者の対象被写体に対する個別映像加工方法を「加工無し」に決定し、個別映像加工方法記憶メモリ１０５ａに記憶させ、本フローチャートの処理を終了する。
【００９５】
一方、ステップＳ１４５において、個別映像加工方法決定部１０２が、対象被写体の独占権を持つ閲覧者がログインしていると判定した場合には、ステップＳ１４６に処理を進める。
【００９６】
ステップＳ１４６では、個別映像加工方法決定部１０２は、閲覧者情報ＤＢ１２１（図３）を参照して対象閲覧者が対象被写体の独占権を持っているか否かを判定し、独占権を持っていると判定した場合には、ステップＳ１４９において、対象閲覧者の対象被写体に対する個別映像加工方法を「加工無し」に決定し、個別映像加工方法記憶メモリ１０５ａに記憶させ、本フローチャートの処理を終了する。
【００９７】
一方、ステップＳ１４６において、個別映像加工方法決定部１０２が、対象閲覧者が対象被写体の独占権を持っていないと判定した場合には、ステップＳ１４８において、対象閲覧者の対象被写体に対する個別映像加工方法を「映像加工２」に決定し、個別映像加工方法記憶メモリ１０５ａに記憶させ、本フローチャートの処理を終了する。この場合、対象閲覧者の閲覧者端末２００には、後述する図１１の１００２，図１２の１２０１に示すような、加工された対象被写体の映像が表示されることになる。
【００９８】
以上の処理によって、閲覧者同士の関係に応じた映像処理を行うことができる。以下、図３に示した閲覧者情報ＤＢ１２１の設定例を用いて具体的に説明する。
【００９９】
例えば、被写体に患者ＩＤ20000、患者ＩＤ30000の２人が設定されているとする。そして、閲覧者は、患者の家族ＩＤ100001（閲覧者ランク「２」）のみがログイン状態にあるとすると、この時、患者の家族ＩＤ100001の閲覧者端末２００に配信される映像は、「加工無し」となり図９のようになる。
【０１００】
そして、医師ＩＤ000001（閲覧者ランク「１」）がログインしてきた場合には、医師ＩＤ000001の閲覧者ランクが「１」であるため、患者の家族ＩＤ100001の閲覧者端末２００に配信される映像は「映像加工１」が施されて図９の状態から図１０の状態に切り替わり、医師ＩＤ000001の閲覧者端末２００に配信される映像は「加工無し」で図９の状態となる。これにより、医師（閲覧ランクの高い閲覧者）が治療を行っている間だけ、家族等の他の閲覧者（閲覧ランクの低い閲覧者）に対して患者の映像を隠し、患者（被写体）のプライバシーを守るといった要求を満たすことができる。このように、閲覧者同士の関係（閲覧者ランク）に応じて適切な映像処理を選択し、実行することによって、被写体の個人情報保護や柔軟な映像処理を可能にすることができる。
【０１０１】
また、閲覧者として患者ＩＤ20000の専門医師ＩＤ000001（閲覧者ランク「１」，独占権「20000」）のみがログイン状態にあるとすると、この時、患者ＩＤ20000の専門医師ＩＤ000001の閲覧者端末２００に配信される映像は、「加工無し」となり図９のようになる。
【０１０２】
その後、患者ＩＤ30000の専門医師ＩＤ000002（閲覧者ランク「１」，独占権「30000」）がログインしてきた場合には、患者ＩＤ20000の専門医師ＩＤ000001に独占権「30000」がないため、患者ＩＤ20000の専門医師ＩＤ000001の閲覧者端末２００に配信される患者ＩＤ30000の映像には「映像加工２」が施されて図９の９０２の状態から図１１の１１０２の状態に切り替わる。なお、患者ＩＤ20000の専門医師ＩＤ000001は独占権「20000」を有するため、患者ＩＤ20000の映像は「加工無し」のままで図１１の１１０１の状態（図９の９０１の状態のまま）となる。
【０１０３】
さらに、患者ＩＤ30000の専門医師ＩＤ000002には独占権「20000」がないため、患者ＩＤ30000の専門医師ＩＤ000002の閲覧者端末２００に配信される患者ＩＤ20000の映像には「映像加工２」が施されて図１２の１２０１の状態となる。また、患者ＩＤ30000の専門医師ＩＤ000002は独占権「30000」を有するので、患者ＩＤ30000の専門医師ＩＤ000002の閲覧者端末２００に配信される患者ＩＤ30000の映像は「加工無し」のままで図１２の１２０２の状態となる。
【０１０４】
これにより、専門医師（独占権を有する）が治療を行っている間だけ、他の医師（独占件がない）に対して、その患者の映像を隠すことができる。このように、閲覧者同士の関係（独占権の有無の関係）に応じて適切な映像処理を選択し、実行することによって、被写体の個人情報保護や柔軟な映像処理を可能にすることができる。
【０１０５】
なお、本発明を適用した映像処理システムについて図１３に示す。なお、図１と同一のものには同一の符号を付してある。
【０１０６】
このシステムは、離島など医師が十分に存在しない遠隔地において、複数の患者が医師の診察を必要としている状況や、また医療技術の発展の目的で複数の医師に治療中の映像を開示しようとしている状況を想定している。
【０１０７】
このようなシステムを実現することにより、閲覧者同士（患者と医師、医師同士等）の関係に応じて、被写体（患者）画像の映像処理方法を動的に決定することができ、過疎化がすすんでいる地方の医師不足の問題、国際的な医療格差の問題、発展途上国での医療技術発展の問題、及び、患者等の個人情報保護の問題を同時に解決することができる。
【０１０８】
例えば、遠隔地医療を考えた場合、医師が患者の状態を確認する際には、治療目的の場合もあれば、患者の状態を確認したいだけの場合もあるが、医師が治療を行っている間だけ、プライバシー保護の観点から他の閲覧者に対しては治療中の患者の映像を隠すといった柔軟な映像処理を可能にして、従来の問題点を解決することができる。
【０１０９】
なお、上記実施形態では、Ｗｅｂカメラ３００，被写体属性受信部４００をそれぞれ１台とする構成例について示したが、Ｗｅｂカメラ３００，被写体属性受信部４００をそれぞれ複数台設けて、複数場所に点在する被写体を閲覧可能に構成してもよい。
【０１１０】
この場合、Ｘ座標，Ｙ座標のみでなく、どのＷｅｂカメラ３００の映像に対応するかを示す情報を、被写体属性受信部４００から送信させて、被写体属性取得部１０４で取得して被写体属性情報ＤＢ１２２に保持させるように構成するものとする。
【０１１１】
また、Ｗｅｂカメラ３００，被写体属性受信部４００，被写体属性送信装置４０１のいずれかの構成又は全ての構成を、被写体が所持する携帯電話等のカメラ付きモバイル機器で実現するように構成してもよい。
【０１１２】
また、上記実施形態では、映像加工方法を決定し、該映像加工方法に基づいて、加工した映像を閲覧者に出力する構成について説明した。しかし、映像出力の可否を決定し、該映像出力の可否に基づいて、閲覧者への映像出力の可否を制御するように構成してもよい。
【０１１３】
この構成の場合、図８のＳ１４７の「映像加工１」の決定のステップ，Ｓ１４８の「映像加工２」の決定のステップを、「映像出力の禁止」決定のステップに置き換え、Ｓ１４９の「加工無し」の決定を、「映像出力の許可」決定のステップに置き換えるものとする。そして、図６のＳ１６の「映像加工実行」のステップを、「映像出力の許可／禁止」のステップに置き換えるものとする。
【０１１４】
なお、図８のＳ１４７の「映像加工１」の決定のステップを「映像出力の禁止（メッセージ通知あり）」決定のステップに置き換え、Ｓ１４８の「映像加工２」の決定のステップを「映像出力の禁止（メッセージ無し）」決定のステップに置き換えるように構成してもよい。
【０１１５】
なお、本発明は、本実施形態のみに限定されるものではなく、閲覧者同士の関係に応じて映像処理を行ういずれの状況にも適用可能である。
【０１１６】
なお、上述した各種データの構成及びその内容はこれに限定されるものではなく、用途や目的に応じて、様々な構成や内容で構成されることは言うまでもない。
【０１１７】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【０１１８】
以下、図１４に示すメモリマップを参照して本発明に係る映像処理システムに適用可能な映像処理装置で読み取り可能なデータ処理プログラムの構成について説明する。
【０１１９】
図１４は、本発明に係る映像処理システムに適用可能な映像処理装置で読み取り可能な各種データ処理プログラムを格納する記録媒体（記憶媒体）のメモリマップを説明する図である。
【０１２０】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１２１】
さらに、各種プログラムに従属するデータも上記ディレクトリに管理されている。また、インストールするプログラムやデータが圧縮されている場合に、解凍するプログラム等も記憶される場合もある。
【０１２２】
本実施形態における図６，図７，図８に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【０１２３】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【０１２４】
この場合、記録媒体から読み出されたプログラムコード自体が本発明の新規な機能を実現することになり、そのプログラムコードを記憶した記録媒体は本発明を構成することになる。
【０１２５】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１２６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１２７】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１２８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【０１２９】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【０１３０】
なお、上述した各実施形態およびその変形例を組み合わせた構成も全て本発明に含まれるものである。
【産業上の利用可能性】
【０１３１】
被写体を患者、閲覧者を医師や患者の家族とすることによって、本発明を、遠隔診察等を行うための医療システムに適用できる。
【図面の簡単な説明】
【０１３２】
【図１】本発明の一実施形態を示す映像処理システムの一例を示すシステム構成図である。
【図２】図１に示した映像処理装置１００のソフトウェア構成の一例を示すブロック図である。
【図３】図２に示した閲覧者情報ＤＢ１２１の構成を説明するデータ構成図である。
【図４】図２に示した被写体属性情報ＤＢ１２２の構成を説明するデータ構成図である。
【図５】図２に示した映像加工方法記憶メモリ１０５ａの構成を説明するデータ構成図である。
【図６】本発明における第１の制御処理手順の一例を示すフローチャートである。
【図７】本発明における第２の制御処理手順の一例を示すフローチャートである。
【図８】本発明における第３の制御処理手順の一例を示すフローチャートである。
【図９】対象閲覧者の閲覧者端末２００に表示される対象被写体の映像を説明するための模式図である。
【図１０】対象閲覧者の閲覧者端末２００に表示される対象被写体の映像を説明するための模式図である。
【図１１】対象閲覧者の閲覧者端末２００に表示される対象被写体の映像を説明するための模式図である。
【図１２】対象閲覧者の閲覧者端末２００に表示される対象被写体の映像を説明するための模式図である。
【図１３】本発明を適用した映像処理システムの一例を示す図である。
【図１４】本発明に係る映像処理システムに適用可能な映像処理装置で読み取り可能な各種データ処理プログラムを格納する記録媒体（記憶媒体）のメモリマップを説明する図である。
【符号の説明】
【０１３３】
１００  映像処理装置
１０１  閲覧者情報取得部
１０２  個別映像加工方法決定部
１０３  カメラ映像取得部
１０４  被写体属性取得部
１０５  映像加工実行部
１０５ａ  映像加工方法記憶メモリ
１０６  映像出力部
１２２  被写体属性情報
１４１  通信インターフェース
１４２  ＣＰＵ
１４３  ＲＡＭ
１４４  ＲＯＭ
１４６  入力装置
１４７  出力装置
１５０ａ  個別映像加工方法記憶メモリ
２００  端末装置
３００  Ｗｅｂカメラ
４００  被写体属性受信部
４０１  被写体属性送信装置
６００  通信ネットワーク
１２１  閲覧者情報ＤＢ
１２２  被写体属性情報ＤＢ
【図１】
2008160572.tif 000003
【図２】
2008160572.tif 000004
【図３】
2008160572.tif 000005
【図４】
2008160572.tif 000006
【図５】
2008160572.tif 000007
【図６】
2008160572.tif 000008
【図７】
2008160572.tif 000009
【図８】
2008160572.tif 000010
【図９】
2008160572.tif 000011
【図１０】
2008160572.tif 000012
【図１１】
2008160572.tif 000013
【図１２】
2008160572.tif 000014
【図１３】
2008160572.tif 000015
【図１４】
2008160572.tif 000016